(57)【特許請求の範囲】
【請求項１】
表示画面内に規定された波形表示領域に信号波形を表示させると共に、操作信号に応じて前記信号波形を時間軸方向に沿ってスクロールさせる波形スクロール処理を実行する制御部を備えた波形表示装置であって、
前記制御部は、前記表示画面内に前記波形表示領域とは別個に規定されたスクロール操作領域においてクリック操作が行われて当該クリック操作に対応する前記操作信号が出力されたときに、当該スクロール操作領域内の予め規定された基準位置と当該クリック操作が行われた操作位置との間の距離、および当該基準位置に対する当該操作位置の存在方向をそれぞれ特定し、当該特定した存在方向に対応付けられた向きに当該特定した距離に応じて前記信号波形を前記時間軸方向に沿ってスクロールさせる処理を前記波形スクロール処理として実行する波形表示装置。
【請求項２】
前記制御部は、予め規定された規定時間を超えて前記クリック操作が継続して実行されたときに、当該クリック操作が終了する時点まで前記波形スクロール処理を継続して実行する請求項１記載の波形表示装置。
【請求項３】
表示画面内に規定された波形表示領域に信号波形を表示させると共に、操作信号に応じて前記信号波形を時間軸方向に沿ってスクロールさせる波形スクロール処理を実行する制御部を備えた波形表示装置であって、
前記制御部は、前記表示画面内に前記波形表示領域とは別個に規定されたスクロール操作領域においてドラッグ操作が行われて当該ドラッグ操作に対応する前記操作信号が出力されたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する波形表示装置。
【請求項４】
表示画面内に規定された波形表示領域に信号波形を表示させると共に、操作信号に応じて前記信号波形を時間軸方向に沿ってスクロールさせる波形スクロール処理を実行する制御部を備えた波形表示装置であって、
前記制御部は、前記波形表示領域においてドラッグ操作が行われて当該ドラッグ操作に対応する前記操作信号が出力されたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する波形表示装置。
【請求項５】
前記操作信号を出力する操作部を備え、当該操作部は、前記表示画面と重なるように配設されたタッチパネルを備え、当該タッチパネルに対する操作に応じた前記操作信号を出力する請求項１から４のいずれかに記載の波形表示装置。
【請求項６】
表示画面内に規定された波形表示領域に信号波形を表示させると共に、操作内容に応じて前記信号波形を時間軸方向に沿ってスクロールさせる波形スクロール処理を実行する波形表示方法であって、
前記表示画面内に前記波形表示領域とは別個に規定されたスクロール操作領域においてクリック操作が行われたときに、当該スクロール操作領域内の予め規定された基準位置と当該クリック操作が行われた操作位置との間の距離、および当該基準位置に対する当該操作位置の存在方向をそれぞれ特定し、当該特定した存在方向に対応付けられた向きに当該特定した距離に応じて前記信号波形を前記時間軸方向に沿ってスクロールさせる処理を前記波形スクロール処理として実行する波形表示方法。
【請求項７】
表示画面内に規定された波形表示領域に信号波形を表示させると共に、操作内容に応じて前記信号波形を時間軸方向に沿ってスクロールさせる波形スクロール処理を実行する波形表示方法であって、
前記表示画面内に前記波形表示領域とは別個に規定されたスクロール操作領域においてドラッグ操作が行われたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する波形表示方法。
【請求項８】
表示画面内に規定された波形表示領域に信号波形を表示させると共に、操作内容に応じて前記信号波形を時間軸方向に沿ってスクロールさせる波形スクロール処理を実行する波形表示方法であって、
前記波形表示領域においてドラッグ操作が行われたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する波形表示方法。
【発明の詳細な説明】
【技術分野】
【０００１】
本発明は、波形表示領域に表示させた信号波形をスクロールさせる波形表示装置および波形表示方法に関するものである。
【背景技術】
【０００２】
この種の波形表示装置および波形表示方法として、出願人は、波形記録計、および波形のスクロール方法（以下、「波形表示方法」ともいう）を特開平７−２０８４７号公報に開示している。この場合、出願人が開示している波形記録計では、ＣＰＵが、メモリに記憶させた波形データに基づく信号波形を表示部の表示画面に表示させると共に、スクロール方向を切り替える切替スイッチの操作状態（切替え状態）と、ジョグ・シャトルダイヤルのジョグ部またはシャトル部に対する操作内容とに応じて、表示画面内の信号波形を任意の方向に任意の速度でスクロールさせる構成が採用されている。
【０００３】
具体的には、切替スイッチが「横方向（左右方向）」に切替えられた状態において、ジョグ部またはシャトル部が左向きに回転操作されたときには、ＣＰＵは、ジョグ部またはシャトル部の操作量に応じた速度で、表示画面内の信号波形を左向きにスクロールさせる。また、切替スイッチが「横方向」に切替えられた状態において、ジョグ部またはシャトル部が右左向きに回転操作されたときには、ＣＰＵは、ジョグ部またはシャトル部の操作量に応じた速度で、表示画面内の信号波形を右向きにスクロールさせる。このように、出願人が開示している波形記録計およびその波形表示方法によれば、ジョグ・シャトルダイヤルの操作によって所望の信号波形（所定時間分の信号波形のうちの所望の部位）を表示画面内に表示させることが可能となっている。
【先行技術文献】
【特許文献】
【０００４】
【特許文献１】特開平７−２０８４７号公報（第３頁、第１−４図）
【発明の概要】
【発明が解決しようとする課題】
【０００５】
ところが、出願人が開示している波形記録計および波形表示方法には、以下の改善すべき課題が存在する。すなわち。出願人が開示している波形記録計および波形表示方法では、切替スイッチの操作状態と、ジョグ・シャトルダイヤルに対する操作内容とに応じて、表示画面内の信号波形をスクロールさせている。したがって、出願人が開示している波形記録計（出願人が開示している波形表示方法に従って信号波形を表示する波形表示装置）では、信号波形をスクロールさせるためのジョグ・シャトルダイヤルが必須の構成要素となっている。この場合、信号波形をスムーズにスクロールさせるには、その操作性を良好にするために、ある程度大きな（ある程度大径の）ジョグ・シャトルダイヤルを表示部と並べて正面パネルに配設する必要がある。したがって、出願人が開示している波形表示方法に従って信号波形を表示させる（スクロールさせる）構成を採用したときには、大きなジョグ・シャトルダイヤルの存在に起因して、波形表示装置の小型化が困難となっており、この点を改善すべきとの課題が存在する。
【０００６】
一方、発明者は、表示部上に（表示画面と重なるように）タッチパネルを設けると共に、信号波形をスクロールさせるときには、仮想的なシャトルダイヤル（以下、「仮想ダイヤル」ともいう）を表示画面内に表示させ、タッチパネルの操作によって仮想ダイヤルを回転操作することで、その操作内容に応じて信号波形をスクロールさせる構成および方法を試みた。このような構成および方法を採用することにより、物理的なジョグ・シャトルダイヤルを正面パネル等に配設することなく、信号波形をスクロールさせることが可能となる。このため、波形表示装置を十分に小型化することが可能となる。
【０００７】
しかしながら、発明者が試みた上記の構成および方法では、信号波形を大きくスクロールさせるとき（ある程度長い時間に亘って仮想ダイヤルの回転操作を継続して実行する必要があるとき）に、仮想ダイヤル上で円を描くドラッグ操作を繰り返して何周も行う必要が生じる。したがって、ドラッグ操作の途中で仮想ダイヤル上から指先が外れて（仮想ダイヤルが表示されていない位置をドラッグして）、利用者の意図に反してドラッグ操作が終了してしまうことがある。このため、この種の装置の操作に不慣れな者にとっては、所望の信号波形を表示させるように信号波形をスクロールさせる操作が困難であるという課題が生じている。
【０００８】
本発明は、かかる問題点に鑑みてなされたものであり、波形表示装置の小型化を図りつつ、信号波形を確実かつ容易にスクロールし得る波形表示装置および波形表示方法を提供することを主目的とする。
【課題を解決するための手段】
【０００９】
上記目的を達成すべく請求項１記載の波形表示装置は、表示画面内に規定された波形表示領域に信号波形を表示させると共に、操作信号に応じて前記信号波形を時間軸方向に沿ってスクロールさせる波形スクロール処理を実行する制御部を備えた波形表示装置であって、前記制御部が、前記表示画面内に前記波形表示領域とは別個に規定されたスクロール操作領域においてクリック操作が行われて当該クリック操作に対応する前記操作信号が出力されたときに、当該スクロール操作領域内の予め規定された基準位置と当該クリック操作が行われた操作位置との間の距離、および当該基準位置に対する当該操作位置の存在方向をそれぞれ特定し、当該特定した存在方向に対応付けられた向きに当該特定した距離に応じて前記信号波形を前記時間軸方向に沿ってスクロールさせる処理を前記波形スクロール処理として実行する。なお、本明細書では、マウスやトラックボールを用いた「クリック操作」と、タッチパネルに対する「タップ操作」とを区別することなく「クリック操作」という。
【００１０】
また、請求項２記載の波形表示装置は、請求項１記載の波形表示装置において、前記制御部は、予め規定された規定時間を超えて前記クリック操作が継続して実行されたときに、当該クリック操作が終了する時点まで前記波形スクロール処理を継続して実行する。
【００１１】
また、請求項３記載の波形表示装置は、表示画面内に規定された波形表示領域に信号波形を表示させると共に、操作信号に応じて前記信号波形を時間軸方向に沿ってスクロールさせる波形スクロール処理を実行する制御部を備えた波形表示装置であって、前記制御部が、前記表示画面内に前記波形表示領域とは別個に規定されたスクロール操作領域においてドラッグ操作が行われて当該ドラッグ操作に対応する前記操作信号が出力されたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する。
【００１２】
また、請求項４記載の波形表示装置は、表示画面内に規定された波形表示領域に信号波形を表示させると共に、操作信号に応じて前記信号波形を時間軸方向に沿ってスクロールさせる波形スクロール処理を実行する制御部を備えた波形表示装置であって、前記制御部が、前記波形表示領域においてドラッグ操作が行われて当該ドラッグ操作に対応する前記操作信号が出力されたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する。
【００１５】
さらに、請求項５記載の波形表示装置は、請求項１から４のいずれかに記載の波形表示装置において、前記操作信号を出力する操作部を備え、当該操作部が、前記表示画面と重なるように配設されたタッチパネルを備え、当該タッチパネルに対する操作に応じた前記操作信号を出力する。
【００１６】
また、請求項６記載の波形表示方法は、表示画面内に規定された波形表示領域に信号波形を表示させると共に、操作内容に応じて前記信号波形を時間軸方向に沿ってスクロールさせる波形スクロール処理を実行する波形表示方法であって、前記表示画面内に前記波形表示領域とは別個に規定されたスクロール操作領域においてクリック操作が行われたときに、当該スクロール操作領域内の予め規定された基準位置と当該クリック操作が行われた操作位置との間の距離、および当該基準位置に対する当該操作位置の存在方向をそれぞれ特定し、当該特定した存在方向に対応付けられた向きに当該特定した距離に応じて前記信号波形を前記時間軸方向に沿ってスクロールさせる処理を前記波形スクロール処理として実行する。
【００１７】
また、請求項７記載の波形表示方法は、表示画面内に規定された波形表示領域に信号波形を表示させると共に、操作内容に応じて前記信号波形を時間軸方向に沿ってスクロールさせる波形スクロール処理を実行する波形表示方法であって、前記表示画面内に前記波形表示領域とは別個に規定されたスクロール操作領域においてドラッグ操作が行われたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する。
【００１８】
また、請求項８記載の波形表示方法は、表示画面内に規定された波形表示領域に信号波形を表示させると共に、操作内容に応じて前記信号波形を時間軸方向に沿ってスクロールさせる波形スクロール処理を実行する波形表示方法であって、前記波形表示領域においてドラッグ操作が行われたときに、予め規定された時間間隔毎に当該ドラッグ操作の操作量、および当該ドラッグ操作の操作方向をそれぞれ特定し、当該特定した操作方向に対応付けられた向きに当該特定した操作量に応じて前記信号波形を前記時間軸方向に沿ってスクロールさせる処理を前記波形スクロール処理として実行すると共に、前記特定した操作量が予め規定された規定量を下回ったときに、当該規定量以上の当該操作量が特定される時点、および前記ドラッグ操作が終了する時点のいずれかまで、直前に特定した前記操作量に応じて前記波形スクロール処理を継続して実行する。
【発明の効果】
【００１９】
請求項１記載の波形表示装置、および請求項６記載の波形表示方法によれば、表示画面内に波形表示領域とは別個に規定されたスクロール操作領域においてクリック操作が行われたときに、スクロール操作領域内の予め規定された基準位置とクリック操作が行われた操作位置との間の距離、および基準位置に対する操作位置の存在方向をそれぞれ特定し、特定した存在方向に対応付けられた向きに特定した距離に応じて信号波形を時間軸方向に沿ってスクロールさせる処理を波形スクロール処理として実行することにより、物理的なジョグ・シャトルダイヤルを表示部と並べて正面パネルに配設することなく信号波形をスクロールさせることができるため、ジョグ・シャトルダイヤルが不要となる分だけ、波形表示装置を十分に小型化することができる。また、仮想ダイヤルの操作（タッチパネルに対する円を描くドラッグ操作）によって信号波形をスクロールさせる構成および方法とは異なり、スクロール操作領域上の所望の位置をクリックするだけで信号波形をスクロールさせることができるため、この種の装置の操作に不慣れな利用者であっても、所望の信号波形を確実かつ容易に表示させることができる。
【００２０】
請求項２記載の波形表示装置によれば、予め規定された規定時間を超えてクリック操作が継続して実行されたときに、クリック操作が終了する時点まで波形スクロール処理を継続して実行することにより、クリック操作を繰り返して複数回に亘って実行することなく、信号波形を所望の量だけ大きくスクロールさせることができる。
【００２１】
請求項３記載の波形表示装置、および請求項７記載の波形表示方法によれば、表示画面内に波形表示領域とは別個に規定されたスクロール操作領域においてドラッグ操作が行われたときに、ドラッグ操作の操作量、およびドラッグ操作の操作方向をそれぞれ特定し、特定した操作方向に対応付けられた向きに特定した操作量に応じて信号波形を時間軸方向に沿ってスクロールさせる処理を波形スクロール処理として実行することにより、物理的なジョグ・シャトルダイヤルを表示部と並べて正面パネルに配設することなく信号波形をスクロールさせることができるため、ジョグ・シャトルダイヤルが不要となる分だけ、波形表示装置を十分に小型化することができる。また、仮想ダイヤルの操作（タッチパネルに対する円を描くドラッグ操作）によって信号波形をスクロールさせる構成および方法とは異なり、スクロール操作領域上において左向きまたは右向きの直線的なドラッグ操作を行うだけで信号波形をスクロールさせることができるため、この種の装置の操作に不慣れな利用者であっても、所望の信号波形を確実かつ容易に表示させることができる。
【００２２】
請求項４記載の波形表示装置、および請求項８記載の波形表示方法によれば、波形表示領域においてドラッグ操作が行われたときに、ドラッグ操作の操作量、およびドラッグ操作の操作方向をそれぞれ特定し、特定した操作方向に対応付けられた向きに特定した操作量に応じて信号波形を時間軸方向に沿ってスクロールさせる処理を波形スクロール処理として実行することにより、物理的なジョグ・シャトルダイヤルを表示部と並べて正面パネルに配設することなく信号波形をスクロールさせることができるため、ジョグ・シャトルダイヤルが不要となる分だけ、波形表示装置を十分に小型化することができる。また、仮想ダイヤルの操作（タッチパネルに対する円を描くドラッグ操作）によって信号波形をスクロールさせる構成および方法とは異なり、波形表示領域上において左向きまたは右向きの直線的なドラッグ操作を行うだけで信号波形をスクロールさせることができるため、この種の装置の操作に不慣れな利用者であっても、所望の信号波形を確実かつ容易に表示させることができる。
【００２３】
また、請求項３，４記載の波形表示装置、および請求項７，８記載の波形表示方法によれば、予め規定された時間間隔毎にドラッグ操作の操作量および操作方向を特定して特定の結果に応じて波形スクロール処理を実行することにより、例えば、ドラッグ操作が完了した時点において、ドラッグ操作の起点と終点との間の操作量や操作方向に応じて波形スクロール処理を実行するのと比較して、ドラッグ操作の途中においても波形スクロール処理が実行されるため、信号波形のスクロールの状態をリアルタイムで見ながらドラッグ操作の操作方向および操作量を適宜変更することで、所望の信号波形を確実かつ容易に表示させることができる。
【００２４】
また、請求項３，４記載の波形表示装置、および請求項７，８記載の波形表示方法によれば、特定した操作量が予め規定された規定量を下回ったときに、規定量以上の操作量が特定される時点、およびドラッグ操作が終了する時点のいずれかまで、直前に特定した操作量に応じて波形スクロール処理を継続して実行することにより、ドラッグ操作を繰り返して複数回に亘って実行することなく、信号波形を所望の量だけ大きくスクロールさせることができる。
【００２５】
請求項５記載の波形表示装置によれば、表示画面と重なるように配設されたタッチパネルを備えてタッチパネルに対する操作に応じた操作信号を出力する操作部を備えたことにより、信号波形自体をドラッグする操作感覚で信号波形をスクロールさせることができる。このため、この波形表示装置、および波形表示方法によれば、波形表示装置の操作に不慣れな利用者であっても、所望の信号波形を確実かつ容易に表示させることができる。
【図面の簡単な説明】
【００２６】
【図１】波形表示装置１，１Ａの構成を示すブロック図である。
【図２】波形表示領域１１内に信号波形Ｗを表示した状態の信号波形表示画面１０の表示画面図である。
【図３】スクロール操作領域１２における領域２１Ｌ１〜２１Ｌ５，２１Ｒ１〜２１Ｒ５について説明するための説明図である。
【図４】波形表示領域１１上でのドラッグ操作の操作方向および操作量の一例について説明するための他の説明図である。
【図５】図２に示す信号波形表示画面１０（波形表示領域１１）内の信号波形Ｗを左向き（矢印ＡＬの向き）にスクロールさせた状態の表示画面図である。
【図６】図２に示す信号波形表示画面１０（波形表示領域１１）内の信号波形Ｗを右向き（矢印ＡＲの方き）にスクロールさせた状態の表示画面図である。
【図７】スクロール操作領域１２Ａ上でのドラッグ操作の操作方向および操作量の一例について説明するための説明図である。
【発明を実施するための形態】
【００２７】
以下、波形表示装置および波形表示方法の実施の形態について、添付図面を参照して説明する。
【００２８】
図１に示す波形表示装置１は、測定部２、操作部３、表示部４、制御部５および記憶部６を備え、後述する波形表示方法に従って表示部４に信号波形Ｗ（図２参照）を表示可能に構成されている。測定部２は、制御部５の制御に従い、入力信号Ｓｉについての電気的パラメータ（一例として、電圧値）を測定して測定データＤ（波形データ）を生成し、生成した測定データＤを制御部５に出力する。なお、信号波形を表示する電気的パラメータは電圧値に限定されるものではなく、電流値や位相等の各種パラメータについて、その信号波形を表示させる構成および方法を採用することができる。操作部３は、波形表示装置１の動作条件を設定するための操作スイッチや、測定データＤの記録を開始／終了するためのスタートスイッチおよびストップスイッチ等の各種操作スイッチ（図示せず）を備えると共に、後述する信号波形表示画面１０（図２参照）と重なるように表示部４の正面側に配設されたタッチパネルを備え、これらの操作に応じた操作信号Ｓ１を制御部５に出力する。なお、タッチパネルとしては、一例として、感圧式タッチパネルおよび静電式タッチパネルのいずれかを採用することができる。
【００２９】
表示部４は、一例として液晶表示パネルを備えて構成されて、制御部５から出力される表示信号Ｓ２に基づき、波形表示装置１の動作条件を設定するための動作条件設定画面（図示せず）や、信号波形Ｗを表示する信号波形表示画面１０（図２参照）を表示する。この場合、図２に示すように、信号波形表示画面１０には、信号波形Ｗを表示するための波形表示領域１１が規定され、この波形表示領域１１には、時間軸を左右方向（矢印Ａの方向：「時間軸方向」の一例）に対応させ、かつ、信号レベル（この例では、電圧値のレベル）を左右方向に直交する上下方向（矢印Ｂの方向）に対応させて信号波形Ｗが表示される。また、信号波形表示画面１０には、上記の波形表示領域１１とは別個に（一例として、波形表示領域１１の下方に）スクロール操作領域１２が規定されている。なお、実際の信号波形表示画面１０には、上記の波形表示領域１１やスクロール操作領域１２の他にも各種の情報表示領域が規定されて、信号波形Ｗに関連する各種の情報が表示されるが、波形表示装置１の構成、およびその波形表示方法についての理解を容易とするために、これらについての図示および説明を省略する。
【００３０】
スクロール操作領域１２は、後述するようにして、波形表示領域１１に表示された信号波形Ｗを左右いずれかの向きにスクロールさせる際にタッチパネルに対するスクロール操作を行うための領域であって、一例として、左向きの矢印および右向きの矢印が描かれた仮想的なスクロールボタン（スクロール操作用アイコン）が表示されている。この場合、図３に示すように、この波形表示装置１では、一例として、スクロール操作領域１２の左半分を５分割して領域２１Ｌ１〜２１Ｌ５（以下、区別しないときには「領域２１Ｌ」ともいう）を規定すると共に、スクロール操作領域１２の右半分を５分割して領域２１Ｒ１〜２１Ｒ５（以下、区別しないときには「領域２１Ｒ」ともいう）を規定し、後述するようにして、操作部３のタッチパネルに対して、各領域２１Ｌおよび各領域２１Ｒ（以下、区別しないときには「領域２１」ともいう）のいずれと重なる部位をクリックされたか（いずれの領域２１と重なる部位をタップされたか）に応じて、予め規定された任意の向きに予め規定された範囲内で任意のスクロール量だけ信号波形Ｗをスクロールさせる構成が採用されている。なお、スクロール操作領域１２の分割数は、左右それぞれ５分割の上記の例に限定されず、左右それぞれ４分割以下、または左右それぞれ６分割以上の任意の分割数とすることができる。
【００３１】
制御部５は、波形表示装置１を総括的に制御する。具体的には、制御部５は、操作部３からの操作信号Ｓ１に応じて測定部２を制御して入力信号Ｓｉについての測定処理（入力信号Ｓｉの測定データＤを生成する処理）を実行させる。また、制御部５は、測定部２から出力される測定データＤを記憶部６に記憶させると共に、その測定データＤに基づいて信号波形Ｗを表示させるための表示信号Ｓ２を生成して表示部４に出力する。さらに、制御部５は、操作部３からの操作信号Ｓ１に応じて（操作部３に対する操作内容に応じて）、表示部４に表示させている信号波形Ｗをスクロールさせる波形スクロール処理を実行する。具体的には、この波形表示装置１では、表示部４の正面側に配設されたタッチパネルを用いて波形表示領域１１上でドラッグ操作する（波形表示領域１１と重なっている領域内でドラッグ操作する）か、スクロール操作領域１２上でクリック操作する（スクロール操作領域１２と重なっている領域内でクリック操作する）ことによって、操作内容に対応して予め規定された任意の向きに予め規定された範囲内での任意の速度で（予め規定された範囲内での任意のスクロール量だけ）信号波形Ｗをスクロールさせることができるように構成されている。
【００３２】
この場合、この波形表示装置１では、波形表示領域１１上において、左右いずれかの向き（時間軸方向：矢印Ａの方向）にドラッグされたときに、制御部５が、操作部３（タッチパネル）から出力される操作信号Ｓ１に基づき、ドラッグ操作の操作量（ドラッグされた距離）および操作方向に応じて信号波形Ｗを左右いずれかの向きにスクロールさせる。より具体的には、制御部５は、波形表示領域１１上において起点から左側に向かってドラッグされたとき（左向き、左斜め上向き、および左斜め下向きにドラッグされたとき）に、信号波形Ｗを左向きにスクロールさせ、波形表示領域１１上において起点から右側に向かってドラッグされたとき（右向き、右斜め上向き、および右斜め下向きにドラッグされたとき）に、信号波形Ｗを右向きにスクロールさせる（ドラッグ操作の操作方向と信号波形Ｗをスクロールさせる方向とを一致させた構成の例）。
【００３３】
この場合、制御部５は、予め規定された時間間隔（一例として、１００ｍｓ間隔）毎にドラッグ操作の向き（操作方向）および操作量を特定して、特定の結果（上記の規定された時間間隔内における操作方向および操作量）に応じて信号波形Ｗをスクロールさせる。また、制御部５は、上記の規定された時間間隔内におけるドラッグ操作の操作量が規定量を下回ったとき（ドラッグ操作がほぼ停止したとき：一例として、１００ｍｓにおける操作量が１ｍｍを下回ったとき）に、再び規定量以上の操作量が特定される時点（ドラッグ操作が再開された時点）、およびドラッグ操作が終了する時点（タッチパネルから指等が離される時点）のいずれかまで、直前に特定した操作量に応じて信号波形Ｗをスクロールさせる処理を継続して実行する。なお、ドラッグ操作の操作量および操作方向と信号波形Ｗのスクロール速度およびスクロール方向との関係については、後に詳細に説明する。
【００３４】
また、この波形表示装置１では、上記の波形表示領域１１上でのドラッグ操作だけでなく、スクロール操作領域１２におけるいずれかの領域２１と重なる位置でクリック操作が行われたときに（以下、このような操作を「領域２１をクリックしたとき」ともいう）、制御部５が、操作部３（タッチパネル）から出力される操作信号Ｓ１に基づき、クリック操作が行われた位置に応じて左右いずれかの向きに信号波形Ｗをスクロールさせる。具体的には、制御部５は、操作部３（タッチパネル）から出力される操作信号Ｓ１に基づき、クリック操作の操作位置を特定すると共に、スクロール操作領域１２の左右方向における中央部（図３において破線１２Ｃで示す位置：「基準位置」の一例）と操作位置との間の距離と、スクロール操作領域１２の中央部に対する操作位置の存在方向とを特定し、特定した距離および存在方向に応じて任意の向きに任意のスクロール量だけ信号波形Ｗをスクロールさせる。
【００３５】
より具体的には、制御部５は、各領域２１Ｌのいずれかがクリックされたとき（スクロール操作領域１２の左半分と重なる位置においてクリック操作されたとき）に、信号波形Ｗを左向きにスクロールさせ、各領域２１Ｒのいずれかがクリックされたとき（スクロール操作領域１２の右半分と重なる位置においてクリック操作されたとき）に、信号波形Ｗを右向きにスクロールさせる。また、制御部５は、特定した距離が長いときほどスクロール量を多く（操作位置がスクロール操作領域１２の中央部から離れているほどスクロール量を多く：この例では、スクロール操作領域１２の中央部から離れた領域２１をクリックされたときほどスクロール量を多く）制御すると共に、特定した距離が短いときほどスクロール量を少なく（操作位置がスクロール操作領域１２の中央部に近いほどスクロール量を少なく：この例では、スクロール操作領域１２の中央部に近い領域２１をクリックされたときほどスクロール量を少なく）制御する。記憶部６は、測定部２から出力された測定データＤや、制御部５の動作プログラムなどを記憶する。
【００３６】
次に、波形表示装置１による信号波形Ｗの表示処理（波形表示方法）について、添付図面を参照して説明する。
【００３７】
この波形表示装置１では、操作部３のスタートスイッチが操作されて操作信号Ｓ１が出力されたときに、制御部５が、測定部２を制御して測定処理を開始させる。この際に、測定部２は、入力信号Ｓｉをデジタル変換すると共に、設定された時間間隔でデジタル信号をサンプリングして測定データＤを生成し、生成した測定データＤを制御部５に出力する。これに応じて、制御部５は、測定部２から出力された測定データＤを記憶部６に順次記憶させる。また、制御部５は、測定データＤの記憶処理と並行して、測定データＤに基づく信号波形Ｗを表示部４に表示させる波形表示処理を実行する。具体的には、制御部５は、信号波形表示画面１０における波形表示領域１１に測定データＤに基づく信号波形Ｗを表示させるための表示信号Ｓ２を生成して表示部４に出力する。これにより、図２に示すように、測定部２から出力された測定データＤ（測定部２によって測定されている入力信号Ｓｉについての電圧値）を表す信号波形Ｗが、ほぼリアルタイムに表示部４に表示される。
【００３８】
この場合、この波形表示装置１では、測定部２による測定処理と並行して実行される波形表示処理において、制御部５が、予め設定された時間分（一例として、１０ｍｓ分）の信号波形Ｗを波形表示領域１１に表示させると共に、測定部２から新たな測定データＤが出力されたときに、信号波形Ｗを左向き（矢印ＡＬの向き）にスクロールさせて最新の測定データＤに基づく信号波形Ｗを波形表示領域１１に表示させる構成が採用されている。したがって、測定処理と並行して実行される波形表示処理では、波形表示領域１１内の信号波形Ｗが常に左向きにスクロールしている状態となる。この後、制御部５は、操作部３のストップスイッチが操作されて対応する操作信号Ｓ１が出力されるまで、上記の測定データＤの記憶処理と、信号波形Ｗの表示処理とを継続して実行する。
【００３９】
一方、この波形表示装置１では、測定部２による一連の測定処理が終了した状態において、記憶部６内の測定データＤに基づいて、任意の時点の信号波形Ｗを波形表示領域１１内に表示させる波形表示処理を実行させることができる。具体的には、一例として、波形表示領域１１に表示されている信号波形Ｗ（この例では、測定処理の終了直前に生成された測定データＤに基づく信号波形Ｗ：図２参照）よりも後の時点の信号波形Ｗを表示させるときには、信号波形Ｗを左向き（矢印ＡＬの向き）にスクロールさせる。この際に、この波形表示装置１では、前述したように、波形表示領域１１上でのドラッグ操作、およびスクロール操作領域１２上でのクリック操作のいずれかの操作によって信号波形Ｗをスクロールさせることが可能となっている。例えば、ドラッグ操作によって信号波形Ｗを左向き（矢印ＡＬの向き）にスクロールさせるときには、波形表示領域１１上において左向き（矢印ＡＬの向き）のドラッグ操作を行う。
【００４０】
この際に、制御部５は、操作部３（タッチパネル）から出力された操作信号Ｓ１に基づき、波形表示領域１１上の所定の位置から左向きにドラッグ操作が行われたと判別し、その操作量を特定して、特定した操作量に応じた速さ（一例として、１００ｍｓの間に信号波形Ｗをスクロールさせるスクロール量が操作量に比例する量となる速さ）で信号波形Ｗを左向き（矢印ＡＬの向き）にスクロールさせる（操作信号に応じて（操作内容に応じて）波形スクロール処理を実行する）。この場合、タッチパネルに対するドラッグ操作では、利用者が時間軸方向と平行に左向きのドラッグ操作を行おうとしても、実際には、左斜め上向きや、左斜め下向きのドラッグ操作となることがある。したがって、制御部５は、左斜め上向きのドラッグ操作、左斜め下向きのドラッグ操作、および左向きのドラッグ操作のいずれが実行されたときであっても、これらの操作が左向きのドラッグ操作であるものとして波形スクロール処理を実行する。具体的には、一例として、図２に示す位置Ｐ０から図４に示す矢印Ｃ１の向き（左斜め上向き）にドラッグ操作されたときに、制御部５は、１００ｍｓ間隔で、その操作量および操作方向（操作の向き）をそれぞれ特定する。
【００４１】
より具体的には、図４に示すように、位置Ｐ０からのドラッグ操作が開始されてから最初の１００ｍｓが経過して位置Ｐ１までドラッグされたときに、制御部５は、位置Ｐ０，Ｐ１の左右方向（矢印Ａの方向）に沿った操作量（矢印Ｌａ１で示す距離）と上下方向（矢印Ｂの方向）に沿った操作量（矢印Ｌｂ１で示す距離）とに基づき、最初の１００ｍｓにおける操作量が矢印Ｌｃ１で示す量であると特定すると共に、その操作方向が左向きであると特定して、矢印Ｌｃ１で示す操作量に対応する速さで信号波形Ｗを左向きにスクロールさせる（「波形スクロール処理」の一例）。この例では、ドラッグ操作の開始以前に信号波形Ｗを表示させていた測定データＤの後に生成された測定データＤが存在しないため、図５に示すように、ドラッグ操作の開始以前に波形表示領域１１に表示されていた信号波形Ｗの右側部位が波形表示領域１１の左方に移動すると共に、波形表示領域１１の右方に信号波形Ｗが存在しない信号波形表示画面１０が表示部４に表示される。
【００４２】
また、位置Ｐ０からのドラッグ操作が開始されてから２００ｍｓが経過して位置Ｐ２までドラッグされたときには、制御部５は、位置Ｐ１，Ｐ２の左右方向（矢印Ａの方向）に沿った操作量（矢印Ｌａ２で示す距離）と上下方向（矢印Ｂの方向）に沿った操作量（矢印Ｌｂ２で示す距離）とに基づき、直前の１００ｍｓの間に行われたドラッグ操作の操作量が矢印Ｌｃ２で示す量であると特定すると共に、その操作方向が左向きであると特定して、矢印Ｌｃ２で示す操作量に対応する速さで信号波形Ｗを左向きにさらにスクロールさせる。この際には、特定された操作量（矢印Ｌｃ２で示す量）が、前回特定した操作量（矢印Ｌｃ１で示す量）よりも少ないため、制御部５は、ドラッグ操作の開始時点から１００ｍｓが経過したときよりも遅く信号波形Ｗをスクロールさせる（「波形スクロール処理」の他の一例）。
【００４３】
さらに、位置Ｐ０からのドラッグ操作が開始されてから３００ｍｓが経過して位置Ｐ３までドラッグされたときには、制御部５は、位置Ｐ２，Ｐ３の左右方向（矢印Ａの方向）に沿った操作量（矢印Ｌａ３で示す距離）と上下方向（矢印Ｂの方向）に沿った操作量（矢印Ｌｂ３で示す距離）とに基づき、直前の１００ｍｓの間に行われたドラッグ操作の操作量が矢印Ｌｃ３で示す量であると特定すると共に、その操作方向が左向きであると特定して、矢印Ｌｃ３で示す操作量に対応する速さで信号波形Ｗを左向きにさらにスクロールさせる。この際には、特定された操作量（矢印Ｌｃ３で示す量）が、前回特定した操作量（矢印Ｌｃ２で示す量）よりも少ないため、制御部５は、ドラッグ操作の開始時点から２００ｍｓが経過したときよりも遅く信号波形Ｗをスクロールさせる（「波形スクロール処理」のさらに他の一例）。
【００４４】
また、上記の例において、位置Ｐ３から移動することなくドラッグ操作が継続して実行されたとき（位置Ｐ３から移動することなくタッチパネルに触れられた状態が続いたとき：１００ｍｓにおける操作量が１ｍｍを下回ったとき）には、制御部５は、位置Ｐ２，Ｐ３間の操作量（「直前に特定した操作量」の一例：この例では、矢印Ｌｃ３で示す量）に応じた速さで信号波形Ｗを左向き（図２に示す矢印ＡＬの向き）に継続してスクロールさせる（「波形スクロール処理」のさらに他の一例）。また、制御部５は、その状態においてドラッグ操作が再開されたときには、その後に特定される操作量や操作方向に応じて（「規定量以上の操作量が特定される時点」の一例）信号波形Ｗをスクロールさせる。一方、信号波形Ｗを継続してスクロールさせているときにドラッグ操作が終了したとき（位置Ｐ３に触れられた状態が解除されたとき：「ドラッグ操作が終了する時点」の一例）には、信号波形Ｗのスクロールを停止させる。
【００４５】
なお、この波形表示装置１では、波形表示領域１１上でのドラッグ操作によって信号波形Ｗをスクロールさせる場合、波形表示領域１１上でのドラッグ操作の操作量（ドラッグ操作の起点から終点までの距離）に応じて、信号波形Ｗのスクロール量が変化することとなる。具体的には、ドラッグ操作の起点から終点までの距離が長いときには、信号波形Ｗのスクロール量が多くなる。これに対して、ドラッグ操作の起点から終点までの距離が短いときには、信号波形Ｗのスクロール量が少なくなる。したがって、この波形表示装置１では、例えば、波形表示領域１１上において長い距離に亘ってドラッグ操作することで信号波形Ｗを操作方向に大きく（大量に）スクロールさせることができ、波形表示領域１１上において短い距離だけドラッグ操作することで信号波形Ｗを操作方向に少なく（少量だけ）スクロールさせることができる。
【００４６】
一方、波形表示領域１１上でドラッグ操作に代えて、スクロール操作領域１２上でのクリック操作によって信号波形Ｗを左向きにスクロールさせるときには、スクロール操作領域１２における左向きの矢印が表示されている部位をクリックする。この際に、一例として、領域２１Ｌ４がクリックされたときに、制御部５は、操作部３（タッチパネル）から出力された操作信号Ｓ１に基づき、基準位置（この例では、スクロール操作領域１２の中央部）とクリック操作の操作位置との間の距離が「４」であり（領域２１の数によって距離を特定する構成および方法の例）、基準位置に対する操作位置の存在方向が「左」であると特定する。この際に、制御部５は、特定した距離（この例では、「４」）に対応するスクロール量だけ信号波形Ｗを左向き（「存在方向に対応付けられた向き」の一例）にスクロールさせる（「波形スクロール処理」の一例）。
【００４７】
この例では、ドラッグ操作の開始以前に信号波形Ｗを表示させていた測定データＤの後に生成された測定データＤが存在しないため、図５に示すように、ドラッグ操作の開始以前に波形表示領域１１に表示されていた信号波形Ｗの右側部位が波形表示領域１１の左方に移動すると共に、波形表示領域１１の右方に信号波形Ｗが存在しない信号波形表示画面１０が表示部４に表示される。続いて、例えば領域２１Ｌ２がクリックされたときには、制御部５は、操作部３（タッチパネル）から出力された操作信号Ｓ１に基づき、基準位置（スクロール操作領域１２の中央部）とクリック操作の操作位置との間の距離が「２」であり、基準位置に対する操作位置の存在方向が「左」であると特定する。この際に、制御部５は、特定した距離（この例では、「２」）に対応するスクロール量だけ信号波形Ｗを左向きにさらにスクロールさせる。この際には、特定された距離（この例では、「２」）が、前回特定した距離（この例では、「４」）よりも少ないため、制御部５は、最初のクリック操作のときよりも少ないスクロール量だけ信号波形Ｗをスクロールさせる（「波形スクロール処理」の他の一例）
【００４８】
また、上記の例において、領域２１Ｌ２をクリックした状態が例えば１秒（「予め規定された規定時間」の一例）を超えたときに（「規定時間を超えてクリック操作が継続して実行されたとき」の一例）、制御部５は、この領域２１Ｌ２に対するクリック操作に対応するスクロール量およびスクロール方向の波形スクロール処理を、クリック操作が終了するまで継続して実行する。具体的には、一例として、領域２１Ｌ２に対して５秒間のクリック操作が行われたときに、制御部５は、上記したように、クリック操作が開始されたとき（領域２１Ｌ２に指先が触れた直後）に、距離「２」に対応するスクロール量だけ信号波形Ｗを左向きにスクロールさせてその状態で信号波形Ｗを停止させ、クリック操作の開始後１秒が経過してからクリック操作が終了するまでの４秒間に亘って、距離「２」に対応するスクロール量だけ信号波形Ｗを左向きにスクロールさせる処理を継続して（繰り返して）実行する。また、制御部５は、クリック操作が終了したとき（領域２１Ｌ２に触れられた状態が解除されたとき）に、信号波形Ｗのスクロールを停止させる。
【００４９】
なお、この波形表示装置１では、スクロール操作領域１２上でのクリック操作によって信号波形Ｗをスクロールさせる場合、所定時間内におけるクリック操作の操作回数に応じて、その所定時間内における信号波形Ｗのスクロール速度が変化することとなる。具体的には、所定時間内におけるクリック操作の操作回数が多いとき（クリック操作の操作間隔が短いとき）には、その所定時間内における信号波形Ｗのスクロール回数が多くなる結果、スクロール速度が速くなる。これに対して、所定時間内におけるクリック操作の操作回数が少ないとき（クリック操作の操作間隔が長いとき）には、その所定時間内における信号波形Ｗのスクロール回数が少なくなる結果、スクロール速度が遅くなる。したがって、この波形表示装置１では、例えば、領域２１Ｌ１を十分に長い操作間隔でクリックすることで信号波形Ｗを左向きにゆっくりとスクロールさせることができ、領域２１Ｒ５を十分に短い操作間隔でクリックすることで信号波形Ｗを右向きに素早くスクロールさせることができる。
【００５０】
一方、上記の例では、波形表示領域１１に表示されている信号波形Ｗよりも後の時点の信号波形Ｗを表示させるために、波形表示領域１１上での左向きのドラッグ操作、またはスクロール操作領域１２における領域２１Ｌのクリック操作によって信号波形Ｗを左向きにスクロールさせているが、波形表示領域１１に表示されている信号波形Ｗよりも前の時点の信号波形Ｗを表示させるときには、波形表示領域１１上での右向きのドラッグ操作、またはスクロール操作領域１２における領域２１Ｒのクリック操作によって信号波形Ｗを右向きにスクロールさせる。この場合、波形表示領域１１上での右向きのドラッグ操作や、領域２１Ｒに対するクリック操作時の波形スクロール処理については、上記した波形表示領域１１上での左向きのドラッグ操作や、領域２１Ｌに対するクリック操作時の波形スクロール処理とは向きが異なるだけで処理内容自体は同様のため、詳細な説明を省略する。これにより、図６に示すように、ドラッグ操作またはクリック操作を行う直前の信号波形Ｗ（一例として、測定処理の終了直前に生成された測定データＤに基づく信号波形Ｗ：図２参照）よりも前の時点の信号波形Ｗが波形表示領域１１内に表示される。
【００５１】
このように、この波形表示装置１、および波形表示装置１による波形表示方法では、信号波形表示画面１０内に波形表示領域１１とは別個に規定されたスクロール操作領域１２においてクリック操作が行われたときに、スクロール操作領域１２内の予め規定された基準位置（この例では、スクロール操作領域１２の中央部）とクリック操作が行われた操作位置との間の距離（この例では、スクロール操作領域１２の中央部と操作位置との間の領域２１の数）、および基準位置に対する操作位置の存在方向をそれぞれ特定し、特定した存在方向に対応付けられた向き（この例では、存在方向と同じ向き）に、特定した距離に応じて信号波形Ｗを時間軸方向に沿ってスクロールさせる処理を波形スクロール処理として実行する。
【００５２】
したがって、この波形表示装置１、および波形表示装置１による波形表示方法によれば、物理的なジョグ・シャトルダイヤルを表示部４と並べて正面パネルに配設することなく信号波形Ｗをスクロールさせることができるため、ジョグ・シャトルダイヤルが不要となる分だけ、波形表示装置１を十分に小型化することができる。また、仮想ダイヤルの操作（タッチパネルに対する円を描くドラッグ操作）によって信号波形Ｗをスクロールさせる構成および方法とは異なり、スクロール操作領域１２上の所望の位置をクリックするだけで信号波形Ｗをスクロールさせることができるため、この種の装置の操作に不慣れな利用者であっても、所望の信号波形Ｗを確実かつ容易に表示させることができる。
【００５３】
また、この波形表示装置１、および波形表示装置１による波形表示方法によれば、予め規定された規定時間（この例では、１秒）を超えてクリック操作が継続して実行されたときに、クリック操作が終了する時点まで波形スクロール処理を継続して実行することにより、クリック操作を繰り返して複数回に亘って実行することなく、信号波形Ｗを所望の量だけ大きくスクロールさせることができる。
【００５４】
さらに、この波形表示装置１、および波形表示装置１による波形表示方法によれば、波形表示領域１１においてドラッグ操作が行われたときに、ドラッグ操作の操作量、およびドラッグ操作の操作方向をそれぞれ特定し、特定した操作方向に対応付けられた向きに特定した操作量に応じて信号波形Ｗを時間軸方向に沿ってスクロールさせる処理を波形スクロール処理として実行することにより、物理的なジョグ・シャトルダイヤルを表示部４と並べて正面パネルに配設することなく信号波形Ｗをスクロールさせることができるため、ジョグ・シャトルダイヤルが不要となる分だけ、波形表示装置１を十分に小型化することができる。また、仮想ダイヤルの操作（タッチパネルに対する円を描くドラッグ操作）によって信号波形Ｗをスクロールさせる構成および方法とは異なり、波形表示領域１１上において左向きまたは右向きの直線的なドラッグ操作を行うだけで信号波形Ｗをスクロールさせることができるため、この種の装置の操作に不慣れな利用者であっても、所望の信号波形Ｗを確実かつ容易に表示させることができる。
【００５５】
また、この波形表示装置１、および波形表示装置１による波形表示方法によれば、予め規定された時間間隔毎にドラッグ操作の操作量および操作方向を特定して特定の結果に応じて波形スクロール処理を実行することにより、例えば、ドラッグ操作が完了した時点において、ドラッグ操作の起点と終点との間の操作量や操作方向に応じて波形スクロール処理を実行するのと比較して、ドラッグ操作の途中においても波形スクロール処理が実行されるため、信号波形Ｗのスクロールの状態をリアルタイムで見ながらドラッグ操作の操作方向および操作量を適宜変更することで、所望の信号波形Ｗを確実かつ容易に表示させることができる。
【００５６】
さらに、この波形表示装置１、および波形表示装置１による波形表示方法によれば、特定した操作量が予め規定された規定量を下回ったときに、規定量以上の操作量が特定される時点、およびドラッグ操作が終了する時点のいずれかまで、直前に特定した操作量に応じて波形スクロール処理を継続して実行することにより、ドラッグ操作を繰り返して複数回に亘って実行することなく、信号波形Ｗを所望の量だけ大きくスクロールさせることができる。
【００５７】
また、この波形表示装置１、および波形表示装置１による波形表示方法によれば、信号波形表示画面１０と重なるように配設されたタッチパネルを備えてタッチパネルに対する操作に応じた操作信号Ｓ１を出力する操作部３を備えたことにより、信号波形Ｗ自体をドラッグする操作感覚で信号波形Ｗをスクロールさせることができる。このため、この波形表示装置１、および波形表示装置１による波形表示方法によれば、波形表示装置１の操作に不慣れな利用者であっても、所望の信号波形Ｗを確実かつ容易に表示させることができる。
【００５８】
次いで、波形表示装置および波形表示方法の他の実施の形態について、添付図面を参照して説明する。なお、上記した波形表示装置１の構成と同一の機能を有する構成要素については同一の符号を付して重複する説明を省略する。また、波形表示装置１による波形表示方法と同様の手順については、重複する説明を省略する。
【００５９】
前述した波形表示装置１では、波形表示領域１１上でのドラッグ操作、またはスクロール操作領域１２上でのクリック操作によって信号波形Ｗをスクロールさせる構成および波形表示方法を採用しているが、スクロール操作領域１２上でのクリック操作に代えて、「スクロール操作領域」上でのドラッグ操作によって信号波形Ｗをスクロールさせる構成および波形表示方法を採用することもできる。具体的には、図１に示すように、波形表示装置１Ａは、前述した波形表示装置１と同様にして、測定部２、操作部３、表示部４、制御部５および記憶部６を備え、後述する波形表示方法に従って表示部４に信号波形Ｗ（図２参照）を表示可能に構成されている。この場合、この波形表示装置１Ａでは、波形表示装置１における信号波形表示画面１０のスクロール操作領域１２に代えて、ドラッグ操作によって信号波形Ｗをスクロールさせるためのスクロール操作領域１２Ａが波形表示領域１１とは別個に信号波形表示画面１０内に規定されている。
【００６０】
スクロール操作領域１２Ａは、後述するようにして、波形表示領域１１に表示された信号波形Ｗを左右いずれかの向きにスクロールさせる際にタッチパネルに対するスクロール操作を行うための領域であって、一例として、前述したスクロール操作領域１２と同様にして、左向きの矢印および右向きの矢印からなる仮想的なスクロールボタン（スクロール操作用アイコン）が表示されている。なお、この波形表示装置１Ａにおいて波形表示領域１１上でドラッグ操作が行われたときの波形スクロール処理は、前述した波形表示装置１において波形表示領域１１上でドラッグ操作が行われたときの波形スクロール処理と同様のため、この波形表示領域１１上でのドラッグ操作に関する説明を省略して、スクロール操作領域１２Ａ上でのドラッグ操作による波形スクロール処理について以下に説明する。
【００６１】
この場合、例えば、信号波形Ｗを右向き（図２に示す矢印ＡＲの向き）にスクロールさせるときには、スクロール操作領域１２Ａ上において右向き（矢印ＡＲの向き）のドラッグ操作を行う。この際に、制御部５は、操作部３（タッチパネル）から出力された操作信号Ｓ１に基づき、スクロール操作領域１２上の所定の位置から右向きにドラッグ操作が行われたと判別し、その操作量を特定して、特定した操作量に応じた速さで信号波形Ｗを右向きにスクロールさせる（操作信号に応じて（操作内容に応じて）波形スクロール処理を実行する）。この際に、タッチパネルに対するドラッグ操作では、利用者が時間軸方向と平行に右向きのドラッグ操作を行おうとしても、実際には、右斜め上向きや、右斜め下向きのドラッグ操作となることがある。したがって、制御部５は、右斜め上向きのドラッグ操作、右斜め下向きのドラッグ操作、および右向きのドラッグ操作のいずれが実行されたときであっても、これらの操作が右向きのドラッグ操作であるものとして波形スクロール処理を実行する。
【００６２】
この際に、一例として、図７に示すように、位置Ｐ１０から矢印Ｃ２の向き（右斜め下向き）に位置Ｐ１１までドラッグ操作されたときに、制御部５は、一例として、１００ｍｓ間隔で、その操作量および操作方向（操作の向き）をそれぞれ特定する。なお、この例では、波形表示装置１Ａの構成および波形表示方法についての理解を容易とするために、１００ｍｓ内にドラッグ操作が完了したものとする。具体的には、制御部５は、位置Ｐ１０から位置Ｐ１１までドラッグされたときに、操作部３からの操作信号Ｓ１に基づき、位置Ｐ１０，Ｐ１１の左右方向（矢印Ａの方向）に沿った操作量（矢印Ｌｃで示す距離）を特定すると共に、その操作方向が右向きであると特定する。この場合、この波形表示装置１Ａでは、一例として、位置Ｐ１０（ドラッグ操作の起点）に対応する信号波形表示画面１０上の画素の横軸座標と、位置Ｐ１１（ドラッグ操作の終点）に対応する信号波形表示画面１０上の画素の横軸座標との間の画素数を「ドラッグ操作の操作量」として特定すると共に、上記の両横軸座標の位置関係に基づいて「ドラッグ操作の操作方向」を特定する構成が採用されている。
【００６３】
次いで、制御部５は、特定した操作量（矢印Ｌｃで示す量）に対応する速さで、特定した操作方向に対応付けられている右向きに信号波形Ｗをスクロールさせる（「波形スクロール処理」の一例）。これにより、波形表示領域１１上で右向きのドラッグ操作を行ったときと同様にして、一例として、図２に示すように波形表示領域１１内に表示されていた信号波形Ｗが、図６に示すように右向きにスクロールして表示される。なお、制御部５は、実際には、１００ｍｓ間隔で操作量および操作方向を特定して、特定した結果に応じて信号波形Ｗをスクロールさせているが、この１００ｍｓ間隔での操作量および操作方向の特定処理、および特定結果に応じた信号波形Ｗのスクロール処理は、波形表示領域１１上でのドラッグ操作時と同様のため、詳細な説明を省略する。
【００６４】
また、上記の例において、位置Ｐ１１から移動することなくドラッグ操作が継続して実行されたとき（位置Ｐ１１から移動することなくタッチパネルに触れられた状態が続いたとき：１００ｍｓにおける操作量が１ｍｍを下回ったとき）には、制御部５は、位置Ｐ１０，Ｐ１１の左右方向に沿った操作量（「直前に特定した操作量」の一例：この例では、矢印Ｌｃで示す量）に応じた速さで信号波形Ｗを右向き（図２に示す矢印ＡＲの向き）に継続してスクロールさせる（「波形スクロール処理」の他の一例）。また、制御部５は、その状態においてドラッグ操作が再開されたときには、その後に特定される操作量や操作方向に応じて（「規定量以上の操作量が特定される時点」の一例）、信号波形Ｗをスクロールさせる。一方、信号波形Ｗを継続してスクロールさせているときにドラッグ操作が終了したとき（位置Ｐ１１に触れられた状態が解除されたとき：「ドラッグ操作が終了する時点」の一例）には、信号波形Ｗのスクロールを停止させる。
【００６５】
このように、この波形表示装置１Ａ、および波形表示装置１Ａによる波形表示方法によれば、信号波形表示画面１０内に波形表示領域１１とは別個に規定されたスクロール操作領域１２Ａにおいてドラッグ操作が行われたときに、ドラッグ操作の操作量、およびドラッグ操作の操作方向をそれぞれ特定し、特定した操作方向に対応付けられた向きに特定した操作量に応じて信号波形Ｗを時間軸方向に沿ってスクロールさせる処理を波形スクロール処理として実行することにより、物理的なジョグ・シャトルダイヤルを表示部４と並べて正面パネルに配設することなく信号波形Ｗをスクロールさせることができるため、ジョグ・シャトルダイヤルが不要となる分だけ、波形表示装置１Ａを十分に小型化することができる。また、仮想ダイヤルの操作（タッチパネルに対する円を描くドラッグ操作）によって信号波形Ｗをスクロールさせる構成および方法とは異なり、スクロール操作領域１２Ａ上において左向きまたは右向きの直線的なドラッグ操作を行うだけで信号波形Ｗをスクロールさせることができるため、この種の装置の操作に不慣れな利用者であっても、所望の信号波形Ｗを確実かつ容易に表示させることができる。
【００６６】
また、この波形表示装置１Ａ、および波形表示装置１Ａによる波形表示方法によれば、波形表示領域１１においてドラッグ操作が行われたときに、ドラッグ操作の操作量、およびドラッグ操作の操作方向をそれぞれ特定し、特定した操作方向に対応付けられた向きに特定した操作量に応じて信号波形Ｗを時間軸方向に沿ってスクロールさせる処理を波形スクロール処理として実行することにより、波形表示領域１１上およびスクロール操作領域１２上のいずれでドラッグ操作を行ったときにも、前述した波形表示装置１における波形表示領域１１上でドラッグ操作を行ったときと同様の効果を奏することができる。
【００６７】
さらに、この波形表示装置１Ａ、および波形表示装置１Ａによる波形表示方法によれば、予め規定された時間間隔毎にドラッグ操作の操作量および操作方向を特定して特定の結果に応じて波形スクロール処理を実行することにより、波形表示領域１１上およびスクロール操作領域１２上のいずれでドラッグ操作を行ったときにも、前述した波形表示装置１における波形表示領域１１上でドラッグ操作を行ったときと同様の効果を奏することができる。
【００６８】
また、この波形表示装置１Ａ、および波形表示装置１Ａによる波形表示方法によれば、特定した操作量が予め規定された規定量を下回ったときに、規定量以上の操作量が特定される時点、およびドラッグ操作が終了する時点のいずれかまで、直前に特定した操作量に応じて波形スクロール処理を継続して実行することにより、波形表示領域１１上およびスクロール操作領域１２上のいずれでドラッグ操作を行ったときにも、前述した波形表示装置１における波形表示領域１１上でのドラッグ操作を行ったときと同様の効果を奏することができる。
【００６９】
さらに、この波形表示装置１Ａ、および波形表示装置１Ａによる波形表示方法によれば、信号波形表示画面１０と重なるように配設されたタッチパネルを備えてタッチパネルに対する操作に応じた操作信号Ｓ１を出力する操作部３を備えたことにより、前述した波形表示装置１と同様の効果を奏することができる。
【００７０】
なお、スクロール操作領域１２の左右方向における中央部を基準位置とし、この基準位置とクリック操作の操作位置との間の領域２１の数を「基準位置と操作位置との間の距離」として特定して波形スクロール処理を実行する波形表示装置１および波形表示方法について説明したが、基準位置と操作位置との間の長さ（例えば、何ｍｍであるか）や、基準位置に対応する信号波形表示画面１０上の画素（例えば、スクロール操作領域１２の左右方向における中央部の画素）と操作位置に対応する信号波形表示画面１０上の画素との間の画素数を「基準位置と操作位置との間の距離」として波形スクロール処理を実行する構成および波形表示方法を採用することもできる。また、スクロール操作領域１２の左右方向における中央部を基準位置とする例について説明したが、基準位置は中央部に限定されず、スクロール操作領域１２上の任意の位置に規定することができる。
【００７１】
さらに、波形表示領域１１上でドラッグ操作が行われたときに、左右方向（時間軸方向）に沿った操作量（図４に矢印Ｌａ１〜Ｌａ３で示す距離）と上下方向（信号レベル方向）に沿った操作量（図４に矢印Ｌｂ１〜Ｌｂ３で示す距離）とに基づいて操作量（図４に矢印Ｌｃ１〜Ｌｃ３で示す距離）を特定する構成の波形表示装置１，１Ａおよび波形表示方法を例に挙げて説明したが、一例として、波形表示領域１１上でドラッグ操作が行われたときに、左右方向（時間軸方向）に沿った操作量（図４に矢印Ｌａ１〜Ｌａ３で示す距離）だけを特定し、この特定した距離をドラッグ操作の操作量として波形スクロール処理を実行する構成および波形表示方法を採用することができる。
【００７２】
また、スクロール操作領域１２Ａ上でドラッグ操作が行われたときに、ドラッグ操作の起点および終点に対応する画素の横軸座標に基づいてドラッグ操作量を特定する構成の波形表示装置１Ａおよび波形表示方法を例に挙げて説明したが、一例として、スクロール操作領域１２Ａをスクロール操作領域１２のように複数の領域２１に分割し、ドラッグ操作の起点に対応する領域２１と終点に対応する領域２１との間の領域２１の数をドラッグ操作の操作量として波形スクロール処理を実行する構成および波形表示方法を採用することもできる。
【００７３】
さらに、波形表示領域１１上でのドラッグ操作、またはスクロール操作領域１２上でのクリック操作によって信号波形Ｗをスクロールさせる構成の波形表示装置１、およびその波形表示方法と、波形表示領域１１上でのドラッグ操作、またはスクロール操作領域１２上でのドラッグ操作によって信号波形Ｗをスクロールさせる構成の波形表示装置１Ａ、およびその波形表示方法とを例に挙げて説明したが、波形表示装置の構成や波形表示方法はこれに限定されない。具体的には、波形表示領域１１上でドラッグ操作が行われたときにだけ操作内容に応じて波形スクロール処理を実行する構成および方法と、スクロール操作領域１２上でドラッグ操作が行われたときにだけ操作内容に応じて波形スクロール処理を実行する構成および方法と、スクロール操作領域１２上でのクリック操作が行われたときにだけ操作内容に応じて波形スクロール処理を実行する構成および方法とのいずれかを採用することができる。このような構成および方法を採用した場合においても、上記の波形表示装置１，１Ａ、およびその波形表示方法と同様の効果を奏することができる。
【００７４】
また、上記の波形表示装置１，１Ａ、およびその波形表示方法では、時間軸方向を左右方向とし、かつ、信号レベル方向を上下方向として信号波形Ｗを表示させる構成および方法を採用しているが、波形表示装置の構成、および波形表示方法はこれに限定されず、時間軸方向を上下方向とし、かつ、信号レベル方向を左右方向として信号波形Ｗを表示させる構成および方法を採用することもできる。さらに、測定部２を一体的に備えた波形表示装置１を例に挙げて説明したが、波形表示装置の構成はこれに限定されず、外部装置としての測定装置によって生成された測定データＤに基づく信号波形Ｗを表示させる構成（図示せず）を採用することもできる。また、表示部４を一体的に備えた波形表示装置１を例に挙げて説明したが、波形表示装置の構成はこれに限定されず、外部装置としての表示装置に信号波形Ｗを表示させる構成（図示せず）を採用することもできる。
【００７５】
さらに、タッチパネルを有する操作部３を備えた波形表示装置１，１Ａ、およびその波形表示方法を例に挙げて説明したが、タッチパネルに代えて、マウスやトラックボール等のクリック操作およびドラッグ操作が可能な各種ポインティングデバイスの操作によって信号波形Ｗをスクロールさせる構成および方法を採用することもできる。このような構成および方法を採用した場合においても、マウスやトラックボール等のドラッグ操作に応じて波形スクロール処理を実行することで、前述した波形表示装置１，１Ａ、およびその波形表示方法と同様の効果を奏することができる。
【符号の説明】
【００７６】
１，１Ａ  波形表示装置
３  操作部
４  表示部
５  制御部
６  記憶部
１０  信号波形表示画面
１１  波形表示領域
１２，１２Ａ  スクロール操作領域
Ｄ  測定データ
Ｐ０，Ｐ１・・  位置
Ｓ１  操作信号
Ｓ２  表示信号
Ｓｉ  入力信号
Ｗ  信号波形
【図１】
0005496613.tif 000002
【図２】
0005496613.tif 000003
【図３】
0005496613.tif 000004
【図４】
0005496613.tif 000005
【図５】
0005496613.tif 000006
【図６】
0005496613.tif 000007
【図７】
0005496613.tif 000008